(57)【要約】【課題】含有有無情報と含有量（または含有率）に関する情報との２種類の情報が混在する状況下において、製品ごとに物質含有部品個数を容易に集計することができる特定物質含有部品集計方法及びそのシステムを提供する。【解決手段】構成情報格納メモリ１０２に格納された部品について特定物質の含有有無又は特定物質の含有値に関する情報を調査結果として入手する調査システム２を有する。この調査システム２が入手した調査対象部品に対する特定物質の含有値情報を、閾値情報格納メモリ１０３に格納された対応する特定物質の閾値と比較する。その結果を、積算中間処理メモリ１０４に格納する。そして、調査結果から直接的に特定物質の含有有りと判定された部品、及び特定物質の含有値から含有有りと判定された部品の個数を計数する。【選択図】図１
2007226386.tif 000002
【特許請求の範囲】
【請求項１】
部品について特定の物質が含有されているか否かの調査結果を入手し、この調査結果から前記部品について特定物質の含有有無、又は特定物質の含有値に関する情報を取得するステップと、
前記特定物質の含有値に関する情報を取得した場合、この含有値を、この特定物質毎に定められた閾値と比較し、含有の有無を判定するステップと、
前記調査結果から直接的に特定物質の含有有りと判定された部品、及び前記特定物質の含有値から含有有りと判定された部品の個数を計数するステップと
を有することを特徴とする特定物質含有部品集計方法。
【請求項２】
部品について特定の物質が含有されているか否かの調査結果を入手し、この調査結果から前記部品について特定物質の含有有無、又は特定物質の含有値に関する情報を取得するステップと、
前記特定物質の含有値に関する情報を取得した場合、この含有値を、この特定物質毎に定められた閾値と比較し、含有の有無を判定するステップと、
前記特定物質毎に設定され、この特定物質の有り判定を除外するための部品属性に、調査対象部品に設定された部品属性が一致するかを判定し、一致する場合は、前記閾値との比較により含有有りと判定された部品であっても含有無しと判定するステップと、
前記調査結果から直接的に特定物質の含有有りと判定された部品、及び前記特定物質の含有値から含有有りと判定された部品の個数で、前記属性により含有無と判定された部品を除く個数を計数するステップと
を有することを特徴とする特定物質含有部品集計方法。
【請求項３】
部品について特定の物質が含有されているか否かの調査結果を入手し、この調査結果から前記部品について特定物質の含有有無、又は特定物質の含有値、及び特定物質の含有部位に関する情報を取得するステップと、
前記特定物質の含有値に関する情報を取得した場合、この含有値を、この特定物質毎に定められた閾値と比較し、含有の有無を判定するステップと、
前記特定物質毎に設定され、この特定物質の有り判定を除外するための部位属性に、前記調査結果から取得された含有部位情報が一致するかを判定し、一致する場合は、前記閾値との比較により含有有りと判定された部品であっても含有無しと判定するステップと、
前記調査結果から直接的に特定物質の含有有りと判定された部品、及び前記特定物質の含有値から含有有りと判定された部品の個数で、前記部位情報により含有無と判定された部品を除く個数を計数する修正するステップと
を有することを特徴とする特定物質含有部品集計方法。
【請求項４】
製品を構成する部品の情報が格納される構成情報格納メモリと、
この構成情報格納メモリに格納された部品についての特定物質の含有有無又は特定物質の含有値に関する情報を調査結果として入手する調査システムと、
前記特定物質毎に、部品への含有有無判定用の閾値が設定されている閾値情報格納メモリと、
前記調査システムが入手した調査対象部品に対する前記特定物質の含有値情報を、前記閾値情報格納メモリに格納された対応する特定物質の閾値と比較し、含有の有無を判定する含有有無判定手段と、
前記調査結果から直接的に特定物質の含有有りと判定された部品、及び前記特定物質の含有値から含有有りと判定された部品の個数を計数する計数手段と、
を備えたことを特徴とする特定物質含有部品集計システム。
【請求項５】
製品を構成する部品の情報がその部品属性情報と共に格納される構成情報格納メモリと、
この構成情報格納メモリに格納された部品についての特定物質の含有有無又は特定物質の含有値に関する情報を調査結果として入手する調査システムと、
前記特定物質毎に、部品への含有有無判定用の閾値、及びこの特定物質の有り判定を除外するための部品属性が設定されている閾値情報格納メモリと、
前記調査システムが入手した調査対象部品に対する前記特定物質の含有値情報を、前記閾値情報格納メモリに格納された対応する特定物質の閾値と比較し、含有の有無を判定する含有有無判定手段と、
前記特定物質毎に設定された、含有有り判定を除外するための部品属性に、前記部品に対して設定された前記部品属性情報と一致するかを判定し、一致する場合は、前記閾値との比較により含有有りと判定された部品であっても含有無しと判定する部品除外判定手段と、
前記調査結果から直接的に特定物質の含有有りと判定された部品、及び前記特定物質の含有値から含有有りと判定された部品で、前記部品除外判定手段により含有無と判定された部品を除く個数を計数する計数手段と、
を備えたことを特徴とする特定物質含有部品集計システム。
【請求項６】
製品を構成する部品の情報が格納される構成情報格納メモリと、
この構成情報格納メモリに格納された部品について特定物質の含有有無又は特定物質の含有値、及び特定物質の含有部位に関する情報を調査結果として入手する調査システムと、
前記特定物質毎に、部品への含有有無判定用の閾値、及びこの特定物質の有り判定を除外するための部位属性が設定されている閾値情報格納メモリと、
前記調査システムが入手した調査対象部品に対する前記特定物質の含有値情報を、前記閾値情報格納メモリに格納された対応する特定物質の閾値と比較し、含有の有無を判定する含有有無判定手段と、
前記特定物質毎に設定された、含有有り判定を除外するための部位属性に、前記調査結果から取得された含有部位情報が一致するかを判定し、一致する場合は、前記閾値との比較により含有有りと判定された部品であっても含有無しと判定する部位除外判定手段と、
前記調査結果から直接的に特定物質の含有有りと判定された部品、及び前記特定物質の含有値から含有有りと判定された部品で、前記部位除外判定手段により含有無と判定された部品を除く個数を計数する計数手段と、
を備えたことを特徴とする特定物質含有部品集計システム。
【請求項７】
調査システムが入手する調査結果には、調査対象部品に対する代替品情報が含まれており、少なくともこの代替品情報を表示するディスプレイを設けたことを特徴とする請求項４、請求項５、請求項６のいずれかに記載の特定物質含有部品集計システム。
【発明の詳細な説明】
【技術分野】
【０００１】
本発明は、たとえば、製品を構成する部品のうち、有害物質を含有する部品数を調査結果に基づいて計数し、製品単位で把握可能な特定物質含有部品集計方法及びそのシステムに関する。
【背景技術】
【０００２】
最近、地球温暖化防止、環境破壊等を世界規模で防止する活動が盛んになり、この一環で、製品のリサイクル・リユース、使用資源の削減等が急務となってきている。また、これらの活動を義務付けるために、関連する法令が各国で制定されている。特に、人体等の生態系に影響を及ぼす有害物質については、抑制しようとする物質の特定及び許容含有率の決定等が上記法令等に盛り込まれており、メーカ各社は製品創出の際に、これらの物質の管理を余儀なくされている。このように、環境問題を考慮し、環境に優しい製品作りが望まれ、さらに環境情報を有効活用するシステムが望まれており、環境情報を効率的に処理することができる環境情報システムが提案されている（例えば、特許文献１参照）。
【０００３】
このような背景から、製品に採用する部品等の調達品単体で、物質の含有状況を把握し、この結果、必要に応じて代替部品の選定を行う必要がある。現状では、部品等の調達品個別に、調達品に対する物質含有状況を調査し、その調査結果を集計している。
【０００４】
一方、一般的に物質の抑制に当っては、その部品に含まれる含有量（または含有率）を、ある閾値以上か否か（または超えたか否か）によって含有有無を判断する。したがって、調査に当たっては、物質の含有有無判断を調査対象である調達品メーカにゆだね、含有有無情報のみを入手する方法と、物質の含有量（または含有率）を入手し、調査元で含有有無判断する方法とがある。
【特許文献１】特開２００２−９２０９３号公報
【発明の開示】
【発明が解決しようとする課題】
【０００５】
すなわち、部品への特定物質の含有状況を把握するためには、含有有無情報と含有量（または含有率）に関する情報との、混在する２種類の情報を取り扱わなければならず、製品ごとに物質含有部品個数を容易に集計できることが望まれる。
【０００６】
本発明の目的は、含有有無情報と含有量（または含有率）に関する情報との２種類の情報が混在する状況下において、製品ごとに物質含有部品個数を容易に集計することができる特定物質含有部品集計方法及びそのシステムを提供することにある。
【課題を解決するための手段】
【０００７】
本発明の特定物質含有部品集計方法は、部品について特定の物質が含有されているか否かの調査結果を入手し、この調査結果から前記部品について特定物質の含有有無、又は特定物質の含有値に関する情報を取得するステップと、前記特定物質の含有値に関する情報を取得した場合、この含有値を、この特定物質毎に定められた閾値と比較し、含有の有無を判定するステップと、前記調査結果から直接的に特定物質の含有有りと判定された部品、及び前記特定物質の含有値から含有有りと判定された部品の個数を計数するステップとを有することを特徴とする。
【０００８】
また、本発明の特定物質含有部品集計方法は、部品について特定の物質が含有されているか否かの調査結果を入手し、この調査結果から前記部品について特定物質の含有有無、又は特定物質の含有値に関する情報を取得するステップと、前記特定物質の含有値に関する情報を取得した場合、この含有値を、この特定物質毎に定められた閾値と比較し、含有の有無をステップと、前記特定物質毎に設定され、この特定物質の有り判定を除外するための部品属性に、調査対象部品に設定された部品属性が一致するかを判定し、一致する場合は、前記閾値との比較により含有有りと判定された部品であっても含有無しと判定するステップと、前記調査結果から直接的に特定物質の含有有りと判定された部品、及び前記特定物質の含有値から含有有りと判定された部品の個数で、前記属性により含有無と判定された部品を除く個数を計数するステップとを有してもよい。
【０００９】
さらに、本発明の特定物質含有部品集計方法は、部品について特定の物質が含有されているか否かの調査結果を入手し、この調査結果から前記部品について特定物質の含有有無、又は特定物質の含有値、及び特定物質の含有部位に関する情報を取得するステップと、前記特定物質の含有値に関する情報を取得した場合、この含有値を、この特定物質毎に定められた閾値と比較し、含有の有無を判定するステップと、前記特定物質毎に設定され、この特定物質の有り判定を除外するための部位属性に、前記調査結果から取得された含有部位情報が一致するかを判定し、一致する場合は、前記閾値との比較により含有有りと判定された部品であっても含有無しと判定するステップと、前記調査結果から直接的に特定物質の含有有りと判定された部品、及び前記特定物質の含有値から含有有りと判定された部品の個数で、前記部位情報により含有無と判定された部品を除く個数を計数する修正するステップとを有してもよい。
【００１０】
本発明の特定物質含有部品集計システムは、製品を構成する部品の情報が格納される構成情報格納メモリと、この構成情報格納メモリに格納された部品についての特定物質の含有有無又は特定物質の含有値に関する情報を調査結果として入手する調査システムと、前記特定物質毎に、部品への含有有無判定用の閾値が設定されている閾値情報格納メモリと、前記調査システムが入手した調査対象部品に対する前記特定物質の含有値情報を、前記閾値情報格納メモリに格納された対応する特定物質の閾値と比較し、含有の有無を判定する含有有無判定手段と、前記調査結果から直接的に特定物質の含有有りと判定された部品、及び前記特定物質の含有値から含有有りと判定された部品の個数を計数する計数手段とを備えたことを特徴とする。
【００１１】
また、本発明の特定物質含有部品集計システムは、製品を構成する部品の情報がその部品属性情報と共に格納される構成情報格納メモリと、この構成情報格納メモリに格納された部品についての特定物質の含有有無又は特定物質の含有値に関する情報を調査結果として入手する調査システムと、前記特定物質毎に、部品への含有有無判定用の閾値、及びこの特定物質の有り判定を除外するための部品属性が設定されている閾値情報格納メモリと、前記調査システムが入手した調査対象部品に対する前記特定物質の含有値情報を、前記閾値情報格納メモリに格納された対応する特定物質の閾値と比較し、含有の有無を判定する含有有無判定手段と、前記特定物質毎に設定された、含有有り判定を除外するための部品属性に、前記部品に対して設定された前記部品属性情報と一致するかを判定し、一致する場合は、前記閾値との比較により含有有りと判定された部品であっても含有無しと判定する部品除外判定手段と、前記調査結果から直接的に特定物質の含有有りと判定された部品、及び前記特定物質の含有値から含有有りと判定された部品で、前記部品除外判定手段により含有無と判定された部品を除く個数を計数する計数手段とを備えた構成でもよい。
【００１２】
さらに、本発明の特定物質含有部品集計システムは、製品を構成する部品の情報が格納される構成情報格納メモリと、この構成情報格納メモリに格納された部品について特定物質の含有有無又は特定物質の含有値、及び特定物質の含有部位に関する情報を調査結果として入手する調査システムと、前記特定物質毎に、部品への含有有無判定用の閾値、及びこの特定物質の有り判定を除外するための部位属性が設定されている閾値情報格納メモリと、前記調査システムが入手した調査対象部品に対する前記特定物質の含有値情報を、前記閾値情報格納メモリに格納された対応する特定物質の閾値と比較し、含有の有無を判定する含有有無判定手段と、前記特定物質毎に設定された、含有有り判定を除外するための部位属性に、前記調査結果から取得された含有部位情報が一致するかを判定し、一致する場合は、前記閾値との比較により含有有りと判定された部品であっても含有無しと判定する部位除外判定手段と、前記調査結果から直接的に特定物質の含有有りと判定された部品、及び前記特定物質の含有値から含有有りと判定された部品で、前記部位除外判定手段により含有無と判定された部品を除く個数を計数する計数手段とを備えてもよい。
【００１３】
これらの特定物質含有部品集計システムでは、調査システムが入手する調査結果には、調査対象部品に対する代替品情報が含まれ、少なくともこの代替品情報を表示するディスプレイを設けてもよい。
【発明の効果】
【００１４】
本発明によれば、調査結果に、特定物質の含有有無情報と含有値情報との２つが混在していても、含有値情報を含有有無情報に変換して統一できるので、情報の取り扱いが容易となり、代替品の手配なども速やかに行うことができる。
【発明を実施するための最良の形態】
【００１５】
以下、本発明による特定物質含有部品計数方法及びそのシステムの一実施の形態について、図面を用いて詳細に説明する。
【００１６】
図１は、この実施の形態による特定物質含有部品集計システムの構成例を示している。図１において、１は積算システムを表しており、システム全体を制御するＣＰＵ１０１、操作者とのインターフェースを担うキーボード１０７及びディスプレイ１０８を有する。また、他システムとのインターフェース（以下、Ｉ／Ｆと略記する）として、基幹システム３用のＩ／Ｆ１０５、後述する調査システム２用のＩ／Ｆ１０６を有する。さらに、記憶装置として、構成情報格納メモリ１０２、閾値情報格納メモリ１０３、積算中間処理メモリ１０４を有する。
【００１７】
ここで、基幹システム３には、各種の製品について、その製品がどのような部品によって構成されているかの構成情報を持っている。積算システム１は、ＣＰＵ１０１の制御によりこの基幹システム３から、ある製品の構成情報を取り出す。
【００１８】
構成情報格納メモリ１０２は、Ｉ／Ｆ１０５を介して基幹システム３から取り込んだ製品構成情報を格納する。閾値情報格納メモリ１０３は、各種の特定物質、例えば、各有害物質の含有有無の判定に用いられる閾値を格納している。また、この閾値のほかに、この閾値を越えた含有量が認められている部品か否かを判断する際に使用する除外情報も格納している。積算中間処理メモリ１０４は、ＣＰＵ１０１によって積算処理を施している際の中間結果を格納する。これら各メモリ１０２，１０３，１０４のデータ構成については後で詳述する。
【００１９】
調査システム２は、積算システム１からの指示により、ある製品に関する部品に特定物質（有害物質）が含有されているかを調査するシステムで、システム２全体を制御するＣＰＵ２０１を有する。また、外部とのＩ／Ｆとして、積算システム１とデータ授受を行う積算システム用Ｉ／Ｆ２０５、及び部品の調達元である取引先との間でデータ授受を行う調査用Ｉ／Ｆ２０４を有する。さらに、記憶装置として、調査結果格納メモリ２０２、部品リスト格納メモリ２０３を有する。
【００２０】
調査結果格納メモリ２０２は、調査用Ｉ／Ｆ２０４を介して得られた調査結果を格納する。また、部品リスト格納メモリ２０３は、調査対象の部品リストを格納する。これら各メモリ２０２，２０３のデータ構成についても後で詳述する。
【００２１】
積算システム１内の構成情報格納メモリ１０２のデータ構成は、例えば、図２に示すように、製品コードフィールド３１、製品名称フィールド３２、この製品を構成する部品コードフィールド３３、部品名称フィールド３４、部品属性フィールド３５、及び取引先情報フィールド３６に格納される一連の情報の集合体で構成されている。
【００２２】
閾値情報格納メモリ１０３のデータ構成は、例えば、図３に示すように、有害物質名称フィールド４１及び物質としての含有閾値（単位はｐｐｍ）のフィールド４２、前記除外情報用としての除外部品属性フィールド４３、及び除外部位属性フィールド４４に格納されるデータ列の集合体である。
【００２３】
ここで、除外部品属性フィールド４３に、属性「Ｇ」，「Ｈ」が例示されている。このような属性「Ｇ」，「Ｈ」を有する部品（図２の部品属性フィールド３５を参照）は、対応する有害物質の含有量が閾値を越えていても、含有有りとの判定から除外されることを意味する。例えば、「Ｇ」は、ネットワ−ク関連機器、また、「Ｈ」は、電気スイッチといった属性を示す情報とする。
【００２４】
また、除外部位属性フィール３３には、例えば「真鍮部」、「ＩＣ端子」、「ガラス部」等の部位情報が格納されている。これらの部位では、対応する有害物質の含有量が閾値を越えていても、含有有りとの判定から除外されることを意味する。
【００２５】
調査システム２内の部品リスト格納メモリ２０３のデータ構成は、例えば、図４に示すように、調査対象の部品コードフィールド５１、部品名称フィールド５２、及び取引先情報フィールド５３に格納されるデータ列の集合体である。
【００２６】
また、調査結果格納メモリ２０２のデータ構成は、例えば、図５（ａ）に示すように、部品コードのフィールド６１、部品名称フィールド６１、物質α含有情報フィールド６３、物質β含有情報フィールド６４、・・・、物質γ含有情報フィールド６５、代替情報フィールド６６、及び調査回答有無情報フィールド６７に格納されるデータ列の集合体である。
【００２７】
ここで、物質含有情報フィールド６３〜６５は、調査対象となる物質の数だけ存在する。このフィールドは、図５（ｂ）に示すように、各物質α、β、γに対して、含有有無情報（物質αに対してはフィールド６３１、物質βに対してはフィールド６４１、及び物質γに対してはフィールド６５１）、含有値情報（物質βに対してはフィールド６３２、物質βに対してはフィールド６４２、及び物質γに対してはフィールド６５２）、及び含有部位情報（物質αに対してはフィールド６３３、物質βに対してはフィールド６４３、及び物質γに対してはフィールド６５３）というサブフィールドに分割されている。
【００２８】
図５の例では、部品コードＰ３０１００００１（部品名称はＰ−ＩＣ−０００１）は、少なくとも物質α、β及びγのいずれも含有していないことを示している。また、部品コードＰ３０１００００２（部品名称はＰ−ＩＣ−０００２）は、物質αが２００ｐｐｍだけ真鍮部に含まれていることを示しており、代替部品として、ＩＣ−０００２−Ｅが指定されている。また、部品コードＰ３０２００００１（部品名称Ｐ−ＩＣ−０００３）は、物質γが１００ｐｐｍだけ部品内のガラス部分に含まれていることを示す。
【００２９】
このように、調査結果としては、調査対象部品について、有害物質の含有有無、有害物質の含有値、有害物質の含有部位に関する情報、及び代替品情報のいずれか又はすべてが回答可能である。
【００３０】
さらに、積算システム１内の積算中間処理メモリ１０４のデータ構成は、例えば、図６に示すように、部品コードのフィールド７０１、部品名称フィールド７０２、部品属性情報フィールド７０３、物質α含有有無結果フィールド７０４、物質β含有有無結果フィールド７０５、物質γ含有有無結果フィールド７０６、及び代替情報フィールド７０７に格納されるデータ列の集合体である。
【００３１】
次に、このような構成において、製品を構成する部品を調査する動作を、図７に示すフローチャートを参照して説明する。
【００３２】
まず操作者は、キーボード１０７などを用いて、積算システム１のＣＰＵ１０１に対して、ある製品の部品調査開始を指示する。この指示により、ＣＰＵ１０１は、基幹システム用Ｉ／Ｆ１０５を介して、指定された製品に対する構成情報を基幹システム３から入手し、構成情報格納メモリ１０２に格納する。このとき、図２に示すフォーマットで情報が格納される（ステップ７１）。次に、この情報のうち部品コードフィールド３３、部品名称フィールド３４及び取引先情報フィールド３６から対応する情報を抽出し、調査システム用Ｉ／Ｆ１０６を介して、調査システム２にデータを転送する（ステップ７２）。
【００３３】
調査システム２は、これをＣＰＵ２０１が検知すると、送られてきた部品コードを抽出し、調査結果格納メモリ２０２または部品リスト格納メモリ２０３に、同一コードがあるか否かを判断する（ステップ７３）。もし存在するならば、ステップ７５に移行する。存在しなければ、対にして送られてきた部品名称及び取引先情報と共に、図４に示すフォーマットにしたがって追加され、ステップ７５に移行する。
【００３４】
積算システム１から転送されたすべての部品について処理が行われたか否かを確認し（ステップ７５）、もし残っていればステップ７３に移行する。また、すべての転送部品情報を処理した際には、取引先ごとに部品を分類し（ステップ７６）、取引先ごとに部品リストを転送する（ステップ７７）。
【００３５】
次に、図５に示すフォーマットで構成される調査結果格納メモリ２０２に、今回調査のために転送した部品に対する調査結果情報を格納するためのフィールドを、部品ごとに用意する（ステップ７８）。つまり、部品コードフィールド６１、部品名称フィールド６２に各部品の情報を格納する。このとき、調査結果情報のうち調査回答有無情報フィールド６７に“未回答”を示す情報を保存する。
【００３６】
この後、今回の調査対象部品の情報を、部品リスト格納メモリ２０３から削除し（ステップ７９）、部品調査処理は終了する。
【００３７】
次に、調査システム２が調査回答を入手する動作を、図８に示すフローチャートを参照して説明する。
【００３８】
まず、ＣＰＵ２０１は、調査用Ｉ／Ｆ２０４を介して調査回答データが送信されてきたことを検知すると（ステップ８１）、回答データの正当性を確認する（ステップ８２）。この回答データは、図５の調査結果情報と同様のフォーマットを有している。
【００３９】
正当性の確認は次のように行う。例えば、ＣＰＵ２０１は、各物質の含有情報において、含有有無情報が“無”を意味する情報になっているにも係わらず、含有値情報に０以外で、当該物質の閾値以上の有効値が入っている場合には、回答データが異常であるとして、ステップ８５に移行する。また、すべての物質の含有値情報の総和が１０００，０００ｐｐｍ（つまり１００％）を超える場合にも、ステップ８５に移行する。すなわち、有害／無害を問わずある部品に関する構成物質の含有率を分析すると、その総和は必ず１００％になる。したがって、部品を構成する物質が全て有害でなかったとしても、その総和が１００％を越えることは異常であることを示している。
【００４０】
この処理で正当性が確認できた場合、調査結果格納メモリ２０２内の情報から、今回回答データとして入手した部品情報を選択し、各種物質含有情報フィールド６３〜６５及び代替情報フィールド６６に情報を格納する（ステップ８４）。このとき、対応する調査回答有無情報フィールド６７に“回答済み”を示す情報を保存する。この後、次の回答が送信されているかを確認し、もしあればステップ８２に戻り、なければこの動作を終了する（ステップ８５）。
【００４１】
なお、この動作において、各物質の含有値情報が存在するのに、含有有無情報が存在しない回答は、正当な回答データとして認識する。
【００４２】
次に、製品を構成する部品を対象に、調査結果を計数する動作を、図９に示すフローチャートを参照して説明する。
【００４３】
図９（ａ）において、まず操作者は、積算システム１内のＣＰＵ１０１に対して、ある製品に対しての積算開始を指示する。ＣＰＵ１０１は、指定された製品に対する構成情報を構成情報格納メモリ１０２から入手する（ステップ９０１）。具体的には、図２で示す製品構成情報のうち、指定する製品コードを製品コードフィールド３１から抽出し、該当する部品コード、部品名称、部品属性情報を、図６に示す積算中間処理メモリ１０４のフォーマットに展開していく(ステップ９０２)。
【００４４】
積算中間処理メモリ１０４のフォーマットに展開した部品情報について、部品ごとに含有有無判定を行い（ステップ９０３）、すべての部品について行ったかを確認する（ステップ９０４）。このとき、すべての部品に対して処理が行われていないと判断した場合には、ステップ９０３に戻り、次の部品についての処理を行う。また、すべての部品に対して処理が行われたと判断した場合には、積算中間処理メモリ１０４のフォーマットに記録したデータに基づき、各物質の含有有無の集計を行うと共に、代替品情報を把握する（ステップ９０５）。このとき、ディスプレイ１０８にこの含有無集計結果、代替品情報を表示させる。
【００４５】
図９（ａ）のフローチャートにおける、部品ごとに含有有無を判定する処理（ステップ９０３）を、図９（ｂ）に示すフローチャートを参照して説明する。
【００４６】
まず、ＣＰＵ１０１は、調査システム用Ｉ／Ｆ１０６を介して、調査システム２内の調査結果格納メモリ２０２に保持されている調査結果リストから、対象となる部品コードを抽出し、対応する調査回答有無情報フィールド６７の情報を確認する（ステップ９１１）。このとき、“未調査”を示す情報になっていれば、処理フローを終了する。また、“調査済み”を示す情報になっていれば、今度はその部品に対する物質ごとに含有有無を判定し（ステップ９１２）、すべての物質について行ったかを確認する（ステップ９１３）。このとき、すべての物質に対して処理が行われていないと判断した場合には、ステップ９１２に戻り、次の物質についての処理を行う。また、すべての物質に対して処理が行われたと判断した場合には、このフローを終了する。
【００４７】
図９（ｂ）のフローチャートにおける、物質ごとに含有有無を判定する処理（ステップ９１２）を、図９（ｃ）に示すフローチャートを参照して、物質αを例に説明する。
【００４８】
まず、図９（ｂ）のフローチャートにおいてステップ９１２で注目している部品に対する物質α含有有無情報フィールド６３１の情報が格納されているか否かを確認する（ステップ９２１）。すなわち、調査回答に、含有物質有り又は無しのデータがあるか否かを確認する。
【００４９】
その結果、格納されていないと判断した場合（含有物質有り又は無しの回答データがない場合）には、含有値データで含有有無を判断すべくステップ９２４に移行する。また、格納されていると判断した場合（含有有り又は無しの回答データがある場合）には、次に物質αの含有値情報フィールド６３２に含有率情報が格納されているか否かを確認する（ステップ９２２）。もし、格納されているのであれば、ステップ９２４に移行する。
【００５０】
このとき含有率情報が格納されていないのであれば、物質α含有有無情報フィールド６３１の情報（含有有り又は無しのいずれか）を、積算中間処理メモリ１０４のフォーマット内の、対応する部品における物質α含有有無結果フィールド７０４に格納し、処理を終了する。すなわち、この場合は、調査結果から直接的に有害物質αの含有有り又は無しが判定されたことになる。
【００５１】
次に、先の処理でステップ９２４に移行した場合には、このステップで、閾値情報格納メモリ１０３に保持している有害物質閾値情報（図３）の中から、物質名称がαのものを抽出し、これに対応する閾値情報フィールド４２の値（含有値の閾値）を参照する。この閾値情報を、回答結果として得られた含有値（含有量又は含有率：以下、含有値情報として統一して説明する）情報と比較する（ステップ９２５）。
【００５２】
すなわち、この処理は、調査システム２が入手した調査対象部品に対する有害物質の含有値情報を、閾値情報格納メモリ１０３に格納された対応する有害物質の閾値と比較し、その閾値未満であれば含有無しと判定し、閾値以上であれば含有有りと判定する含有有無判定手段として機能する。
【００５３】
なお、この判定は、閾値以下であれば含有無し、閾値を越えれば含有有りとしてもよい。即ち、閾値を基準として比較して有害物質の含有の有無の判定が行われる。
【００５４】
この比較処理の結果、回答結果の含有値が閾値未満であった場合には、物質α含有有無情報フィールド７０４に、含有無しを示す情報を格納して（ステップ９２６）、フローを終了する。
【００５５】
これに対し、ステップ９２５の比較において、回答結果の含有値が閾値以上であった場合は、上述のように含有有りと判定すべきであるが、その前に除外対象かを判断する。
【００５６】
すなわち、先ず、調査対象部品の属性情報フィールド７０３（図６）、及び有害物質αに対する除外部品属性フィールド４３（図３）のデータを抽出する（ステップ９２７）。そして、この抽出した部品属性情報と、有害物質αに対する除外部品属性Ｇとを比較する（ステップ９２８）。このとき、部品属性情報が、例えば、Ｇであれば、有害物質αに対する除外部品属性Ｇと一致するので、ステップ９２６に移行し、この部品は含有無しと判定する。
【００５７】
すなわち、この処理（ステップ９２８，９２６）は、有害物質毎に設定された、含有有り判定を除外するための属性Ｇ，Ｈ等に、前記部品に対して設定された前記属性情報Ｇが含まれるか（一致する属性が存在するか）を判定し、一致する場合は、前記閾値との比較により含有有りと判定された部品であっても含有無しと判定する部品除外判定手段として機能する。
【００５８】
上記処理（ステップ９２８）により一致しなければ、次に物質α含有部位情報６３３（図５）、及び有害物質αに対する除外部位属性４４（図３）を抽出する（ステップ９２９）。そして、この抽出した含有部位情報と、有害物質αに対する除外部位属性（図３の例では真鍮部）とを比較する（ステップ９３０）。このとき、含有部位情報が、例えば、図５（ｂ）のフィールド６３３で示すように真鍮部であれば、有害物質αに対する除外部位属性（図３のフィールド４４の真鍮部）と一致するので、ステップ９２６に移行し、この部品は含有無しと判定する。
【００５９】
すなわち、上記処理（ステップ９３０，９２６）は、有害物質毎に設定された、含有有り判定を除外するための部位属性（図３のフィールド４４の真鍮部、ＩＣ端子、ガラス部など）に、前記調査結果から取得された含有部位情報（上記例では真鍮部）が含まれるか（一致する属性が存在するか）を判定し、一致する場合は、前記閾値との比較により含有有りと判定された部品であっても含有無しと判定する部位除外判定手段として機能する。
【００６０】
上記処理（ステップ９３０）で一致しなければ、物質α含有有無情報フィールド７０４に、含有有りを示す情報を格納して（ステップ９３１）、フローを終了する。
【００６１】
このようにしてＣＰＵ１０１は、各部品について、各物質毎に含有有無を判定した結果を積算中間処理格納メモリ１０４の所定のフィールドに格納した後、物質含有有りの部品数を計数する。すなわち、ＣＰＵ１０１は、このとき、調査結果から直接的に特定物質の含有有りと判定された部品、及び特定物質の含有値から含有有りと判定された部品（前記部品除外判定手段及び部位除外判定手段により含有無と判定された部品を除く）個数を計数する計数手段として機能する。
【００６２】
なお、この実施の形態では、積算システム１と調査システム２とを個別のシステムとして例示してあるが、例えば、１つのＰＣ（パーソナルコンピュータ）内で、一体化したシステムとしてこれらの機能を実現しても良い。
【００６３】
また  本実施の形態の趣旨として、物質含有有無回答のみ、又は物質含有率回答のみという異なる回答結果を許容するために、図５に示す調査結果リストを併用しており、物質αについての含有有無回答のみがなされている場合の例として、物質α含有有無情報フィールド（６３１）に情報があり、かつ物質α含有値情報６３２に情報が格納されていないという事象をあてはめた。また、物質含有有無回答がなされていない例として、物質α含有有無情報フィールド（６３１）に情報が格納されておらず、かつ物質α含有値情報６３２に情報が格納されているという事象をあてはめた。
【００６４】
しかし、本発明はこのような例に限定されるものではなく、例えば、物質含有有無情報及び物質含有値情報を別のフォーマットで管理し、積算の際に、相互のフォーマットを参照しながら回答結果を抽出する等、論理的に連結するようになっていればよい。
【００６５】
これらによって、物質の含有有無を判定するシステムにおいて、含有有無のみの回答、及び含有値のみの回答から、一定の含有有無判定を行うことができ、さらに製品等の部品群単位で、含有部品個数等の把握が可能となる。このため、含有有無情報と含有量（または含有率）が混在する２種類の情報を入手した状態においても、製品ごとに物質含有部品個数を容易に集計することができる。
【図面の簡単な説明】
【００６６】
【図１】本発明による特定物質含有部品計数システムの一実施の形態を説明する機能ブロック図である。
【図２】同上一実施の形態で用いる構成情報格納メモリのデータ構成を説明する図である。
【図３】同上一実施の形態で用いる閾値情報格納メモリのデータ構成を説明する図である。
【図４】同上一実施の形態で用いる部品リスト格納メモリのデータ構成を説明する図である。
【図５】同上一実施の形態で用いる調査結果格納メモリのデータ構成を説明する図である。
【図６】同上一実施の形態で用いる積算中間処理メモリのデータ構成を説明する図である。
【図７】同上一実施の形態における部品調査動作を説明するフローチャートである。
【図８】同上一実施の形態における調査回答取り込み動作を説明するフローチャートである。
【図９】同上一実施の形態における含有有無部品計数動作を説明するフローチャートである。
【符号の説明】
【００６７】
１    積算システム
２    調査システム
１０１    各機能実現手段を実行するＣＰＵ
１０２    構成情報格納メモリ
１０３    閾値情報格納メモリ
１０４    積算中間処理メモリ
２０２    調査結果格納メモリ
２０３    部品リスト格納メモリ
【図１】
2007226386.tif 000003
【図２】
2007226386.tif 000004
【図３】
2007226386.tif 000005
【図４】
2007226386.tif 000006
【図５】
2007226386.tif 000007
【図６】
2007226386.tif 000008
【図７】
2007226386.tif 000009
【図８】
2007226386.tif 000010
【図９】
2007226386.tif 000011